(57)【特許請求の範囲】
【請求項１】
撓曲自在な芯材で長円リングと長円リングの円形一縁に重なり、他方円形部分が長円リング内に位置する短円リングを備えた二重リング体を形成すると共に、二重リング体内方全体に遮光布を各リングにパイピング縫合によって張設し、長円リングを長手方向でＵ状に撓曲させた際に撓曲状態を維持するための両長尺側縁に設けた連結部と紐体とで構成した撓曲維持機構を付設してなることを特徴とする携帯用日除け。
【請求項２】
短円リングで囲繞された範囲内で、端縁側を椅子等の背凭れに被せることが可能な大きさに開口した袋状二重構造としてなる請求項１記載の携帯用日除け。
【請求項３】
短円リング内全体を約二分し、端縁側を開口した袋状二重構造とし、他方を遮光布の遮光性能が異なる材質で二重構造とし、前記二重構造箇所の一方の遮光布を短円リングに添って設けたチャックによって開被可能に設けてなる請求項２記載の携帯用日除け。
【発明の詳細な説明】
【０００１】
【産業上の利用分野】
本発明は、主として海岸で使用する携帯用日除けに関するものである。
【０００２】
【従来技術及び発明が解決しようとする課題】
海岸での日除け器具としては、ビーチパラソル、タープ型や家型のテント等が知られている。しかしこれらの日除けは、一人用のような小型のものは少なく、全体が嵩張り収納運搬に便利であるとは云えない。
【０００３】
また撓曲自在な芯材で長円リング体や矩形リング体を形成すると共に、リング体内方に遮光布を張設した日除けは、リング体を捻じっての円形折り畳みが可能で、収納時にコンパクトになるため近年いろいろなところで使用されている。具体的には、小型の物は吸盤を付設して車両用として使用されており、大型の物は、左右に撓曲させてベース部材との組み合わせで海岸での日除けとして使用されている。然し前記の海岸用の日除けは、ベース部材との組み合わせ使用となり必ずしも取り扱いが便利であるとは云えず、而も海岸で多用されるサマーべッドや折畳み椅子への適用もなされない。
【０００４】
そこで本発明は、単一部材で日除けとして使用できると共に、サマーベッドのような椅子タイプの物品にも簡単に装着して使用できる日除けを提案したものである。
【０００５】
【課題を解決する手段】
本発明に係る携帯用日除けは、撓曲自在な芯材で長円リングと長円リングの円形一縁に重なり、他方円形部分が長円リング内に位置する短円リングを備えた二重リング体を形成すると共に、二重リング体内方全体に遮光布を各リングにパイピング縫合によって張設し、長円リングを長手方向でＵ状に撓曲させた際に撓曲状態を維持するための両長尺側縁に設けた連結部と紐体とで構成した撓曲維持機構を付設してなることを特徴とするものである。
【０００６】
而して全体を長手方向でＵ状に撓曲させ、連結部間を紐体で連結して撓曲状態を維持することで、撓曲された日除けの一方側をベースとし、他方側を庇とすることで、撓曲内部空間を頭部収納空間とすることで、一人用の日除けとして使用でき、特に二重リング体の短円リングが撓曲外方に張り出すことによって遮光布をピンと張り、広い頭部収納空間を得ることができる。
【０００７】
更に短円リングで囲繞された範囲内で、端縁側を開口した袋状二重構造にしておくと、袋状二重構造部分をサマーベッドや椅子の背凭れに被せることで、椅子の上方に庇が形成されることになり、椅子用日除けとしても使用できる。
【０００８】
【実施の形態】
次に本発明の実施の形態について説明する。実施形態に示した携帯用日除けは、リング体１と、リング体１の内方に張設した遮光布２と、リング体１に付設した連結部３と、撓曲させる紐体４とで構成される。
【０００９】
リング体１は、グラスファイバーやピアノ線等の撓曲自在な芯材で、長尺縁の両端を半円形としたトラック形状の長円リング１１と、長円リング１１の一縁に重なり長円リング１１の長手方向においてのみ短い短円リング１２を備えた二重リング体としたもので、図６（イ）に示すように２本のフレームで形成した大小のリング体を組み合わせて形成するもので、短円リング１２は長円リング１１の一側縁の外側に重ねて形成する（以下「内外」は前記の短円リングの重ね合わせ方向を基準にし、長円リング１１の両長尺縁を「左右」と特定する）。
【００１０】
尚実施形態は、２本のフレームを組み合わせて形成するものを示したが、同図（ロ）に示すように１本のフレームで連続形成しても良い。勿論短円リング１２は、半円状として端部を長円リング１１の長尺縁に結束して一体化させ、長円リング１１の一部と短円リング１２の一部を共通させるようにしても良い。
【００１１】
遮光布２は、前記のリング体１の内方に張設するもので、リング体１を包み込むパイピング縫合２１し、その内方に各分割したシート（遮光布）２２，２３，２４，２５，２６を縫合して張設したものである。
【００１２】
第一シート２２及び第二シート２３は、短円リング１２で囲繞された範囲の約中間から端までの範囲内で二重構造に縫合したもので、特に第二シート２３は、端縁側を開口２３１して全体を袋状二重構造としてなる。この袋状二重構造の範囲は、サマーベッドＡや椅子Ｂの背凭れに安定して装着できる大きさとなるようにする。
【００１３】
第三シート２４はメッシュシートで、遮光性を備えた外側に重ねた第四シート２５と共に、短円リング１２の囲繞範囲の残りの部分を二重構造で張設するもので、前記第一シート２２並びに第二シート２３の中央側縁部並びに短円リング１２のパイピング縫合箇所とも縫合して一体化してなる。
【００１４】
更に第四シート２５は、短円リング１２の半月状の内縁に添ってファスナー２５１を介設し、第一シート２２との縫合箇所の表裏に掛止リング２５２と掛止釦２５３を付設してなる。
【００１５】
第五シート２６は、残りの短円リング１２の外方の長円リング１１内に張設したものである。
【００１６】
連結部３は、長円リング１１の左右長尺縁に各２個を、布バンドを折り返した舌片形状として縫合して取り付けたもので、取付位置は長円リング１１を長手方向でＵ状に撓曲させた際に撓曲状態を維持するに適当な箇所としてなる。
【００１７】
紐体４は、輪状にして左右の各連結部に挿通してなり、特に前記輪状の大きさを調整できるコードロック４１を付設してなるものである。
【００１８】
而して前記の日除けは、単独使用形態と、椅子使用形態があり、単独使用の場合には、全体を長手方向で内側にＵ状に撓曲させ、連結部３間に通した紐体４を短くし適宜な撓曲状態を維持し、当該状態で第三シートを下側にしてビーチマットＣ上に置くと、第一及び第二シート２２，２３が庇となり、下方の撓曲空間が頭部収納空間とすることで、一人用の簡易な日除けとなるものである。
【００１９】
特に短円リング１２の中間側が、撓曲に抗して外側に張り出すので、遮光布２が器具の撓曲時（使用時）でもたわむことがなく、外側にピンと張り、広い頭部収納空間を得ることができる。
【００２０】
また庇（撓曲時の第一，第二シート２２，２３）部分の角度は、紐体４の長さ調整で可能である。更にファスナー２５１を開いて第四シート２５を巻き取り、掛止リング２５２と掛止釦２５３で巻き取り状態を維持すると、メッシュシート（第三シート）２４が窓となり、日差しの調整が可能となる。
【００２１】
次にサマーベッドＡや椅子Ｂへの取付使用は、前記の通り器具全体を長手方向で内側にＵ状に撓曲させ、連結部３間を紐体４で連結して適宜な撓曲状態を維持し、開口部２３１からサマーベッドの背凭れ部分を差し入れて、背も垂れ部分に器具を取り付けると、背凭れの上方に庇（第五シート２６）が形成されることになり、椅子用日除けとしても使用できる。
【００２２】
勿論庇の角度調整、日差しの遮断調整は、前記の単独使用時と同様であり、また短円リング１２の外方張り出しによる庇部分の張りも同様である。
【００２３】
更に収納形態時は、長短リングを捻じり乍ら折り畳むことで、全体をコンパクトにすることができる。
【００２４】
【発明の効果】
以上のように本発明は、撓曲自在な芯材で長円リングと一側が重なった短円リングを備えた二重リング体を形成すると共に、二重リング体内方全体に遮光布を張設し、短円リングで囲繞された範囲内で、端縁側を開口した袋状二重構造とし、長円リングを長手方向でＵ状に撓曲させた際に撓曲状態を維持するため紐体並びに連結部を備えた携帯用日除けで、全体を長手方向でＵ状に撓曲させて、その侭単独で頭部のみの日差しを遮断する簡易な日除けとしても、また袋状二重構造箇所に椅子等の背凭れ部分を挿入することで、椅子等への取付使用も可能としたものである。
【図面の簡単な説明】
【図１】本発明の実施形態の全体斜視図。
【図２】同使用状態の説明図（単独使用時の斜視図）。
【図３】同使用状態の説明図（単独使用の側面図）。
【図４】同使用状態の説明図（椅子使用の斜視図）。
【図５】同使用状態の説明図（椅子使用の側面図）。
【図６】同二重リング体の斜視図。
【図７】同全体の正面図。
【図８】同縦断面図。
【符号の説明】
１      リング体
１１    長円リング
１２    短円リング
２      遮光布
２１    パイピング縫合
２２    第一シート
２３    第二シート
２３１    開口部
２４    第三シート（メッシュシート）
２５    第四シート
２５１    ファスナー
２５２    掛止リング
２５３    掛止釦
２６    第五シート
３      連結部
４      紐体
４１    コードロック
【図１】
0004035291.tif 000002
【図２】
0004035291.tif 000003
【図３】
0004035291.tif 000004
【図４】
0004035291.tif 000005
【図５】
0004035291.tif 000006
【図６】
0004035291.tif 000007
【図７】
0004035291.tif 000008
【図８】
0004035291.tif 000009